(57)【特許請求の範囲】
【請求項１】
床の段差部の境界部分に構築される段差部仕上げ構造において、
前記境界部分に設置され、少なくとも前記段差部の高低差分の高さを有する立ち上がり正面部と、該立ち上がり正面部の一方の面側上部から所定長さ延在し最終設置状態では床面とほぼ平行な面となる水平部と、を有する見切り部材と、
該見切り部材の前記水平部が延在する側の側面部に一方の端縁部が係合され、その係合状態で他方の端縁部が前記水平部の延在長さよりも長く延在する大きさに形成された懸架用の板状体と、
を備え、前記見切り部材の立ち上がり正面部の下端は前記床の段差部を構成する低位置側床面上に設置され、前記懸架用の板状体は高位置側の床構成部材上に設置されることを特徴とする床の段差部仕上げ構造。
【請求項２】
前記懸架用の板状体の前記見切り部材への係合は、
前記見切り部材の内側面側に前記水平部とは別個に支持凸部を突出形成し、該支持凸部と前記水平部との間に前記懸架用の板状体の端縁部を差し入れ係合させることによって行うようにしたことを特徴とする請求項１に記載の床の段差部仕上げ構造。
【請求項３】
前記懸架用の板状体の前記見切り部材への係合は、
前記懸架用の板状体の一方の端縁部に少なくとも一方向に屈曲された屈曲部が形成され、前記見切り部材にはその側端部から前記屈曲部を摺動嵌入可能な溝部が形成され、該溝部への前記屈曲部の摺動嵌入により行うことを特徴とする請求項１に記載の床の段差部仕上げ構造。
【請求項４】
前記見切り部材は、
両側端部の所定範囲に長手方向への通路を有し、２つの見切り部材のそれぞれ一端側の前記通路に１個の共通の連結用部材を挿入して相互の連結を行うようにしたことを特徴とする請求項１から３の何れかに記載の床の段差部仕上げ構造。
【請求項５】
前記見切り部材は、
前記水平部の延在方向に湾曲した形状を有し、
前記懸架用の板状体は、前記見切り部材の湾曲に対応した円弧形状を有する略扇状の平面形状を有することを特徴とする請求項１から４の何れかに記載の床の段差部仕上げ構造。
【発明の詳細な説明】
【０００１】
【発明の属する技術分野】
本発明は、床の段差部仕上げ構造、特に建築物の床部に生じる段差部の仕上げを行うための部材を用いた段差部仕上げ構造に関するものである。
【０００２】
【従来の技術】
建築物の床構造では、種々の事情から床面の高さに差が生じる場合があり、そのような場合には、段差部の表面の仕上げを行う必要がある。特に、近年における配線などを床下に収納するためのいわゆる二重床構造などにおいては床に段差部が生ずる場合が多く、種々の仕上げ構造が採用されている。
【０００３】
このような段差部の構造には、框（かまち）構造や段差をなだらかに解消するためのスロープ構造などがあるが、段差部の境界部には見切り部材が設置され、床面の高位置側と低位置側をつなぐと共にその隙間を塞ぐことが行われている。
【０００４】
このような従来の見切り部材は、例えば実公平２−２９１５６号公報や特開平８−２３９９９４号公報などに開示された構成を有しており、床面の段差のある高位置部分と低位置部分の境界部にまたがるように設置され、ねじ部材によって固定されている。そして、その境界部分をカバーする機能を奏しているものである。
【０００５】
【発明が解決しようとする課題】
従来の床の段差部仕上げ構造では、段差部の境界部に設置される見切り部材は、その設置位置に融通性がなく、正確な位置決めがなされた後にねじ部材などによる設置が可能となっているものである。従って、二重床の仕上げを行う現場においては、状況に応じて段差部の位置調整が必要となるが、そのような位置調整に臨機応変に対応することが困難であった。
【０００６】
すなわち、従来の段差部仕上げ構造では、見切り部材の設置位置の前後位置を所定幅で調整可能とするための構成は何ら設けられておらず、また他の部材を用いてそのような調整を行うこともなされていなかった。
【０００７】
また、位置決めの融通性を確保するため、見切り部材の床面に平行な水平部の部分を大きくとることも考えられるが、通常アルミダイカスト製法で製造される見切り部材としては、その製造の困難性が大きくなる恐れもあり、また実際の施工現場では、見切り部材を所望の形状、例えば所定の長さに切断する作業を行う場合もあることから、その作業性を考慮して水平部を大きく（広い幅に）しておくことが事実上できないという事情もある。
【０００８】
特に、例えば、カウンターやパーテイシヨン等での設置に対応させて見切り部材が湾曲して形成されたような場合には、二重床の高位置側の構造体に対しての位置決めがより困難であり、従来の見切り部材ではそのような湾曲した段差部に対応することができないという事情もあった。
【０００９】
本発明は、上記諸事情に鑑みなされたものであり、その目的は床の段差部の見切り部材などによる仕上げをより容易に行うことのできる簡単な構成の段差部仕上げ構造を提供することにある。
【００１０】
【課題を解決するための手段】
上記目的を達成するため、請求項１に係る床の段差部仕上げ構造は、
前記境界部分に設置され、少なくとも前記段差部の高低差分の高さを有する立ち上がり正面部と、該立ち上がり正面部の一方の面側上部から所定長さ延在し最終設置状態では床面とほぼ平行な面となる水平部と、を有する見切り部材と、該見切り部材の前記水平部が延在する側の側面部に一方の端縁部が係合され、その係合状態で他方の端縁部が前記水平部の延在長さよりも長く延びた平面形状を有する懸架用の板状体と、を備え、前記立ち上がり正面部の下端は低位置側床面上に設置され、前記懸架用の板状体は高位置側の床構成部材上に設置されている。
【００１１】
すなわち、見切り部材には、外的な付加部材として懸架用の板状体が取り付けられ、その板状体は、水平部よりも長く延びているので、その懸架用の板状体の長さ分だけその長さ方向に見切り部材の位置決めに融通性が生れている。
【００１２】
請求項２に係る床の段差部仕上げ構造は、
前記懸架用の板状体の前記見切り部材への係合が、前記見切り部材の内側面側に前記水平部とは別個に支持凸部を突出形成し、該支持凸部と前記水平部との間に前記懸架用の板状体の端縁部を差し入れ係合させることによって行うようにしている。
【００１３】
これにより、懸架用の板状体は単に水平部と支持凸部との間に差し入れるという動作だけで見切り部材に係合させることができ、現場での作業も極めて簡単である。そして、そのような作業のみによって上述の請求項１に係る位置決めの融通性という作用効果を得ることができる。
【００１４】
請求項３に係る床の段差部仕上げ構造は、
前記懸架用の板状体の前記見切り部材への係合が、前記懸架用の板状体の一方の端縁部にそれぞれ反対方向に屈曲された双方屈曲部が形成され、前記見切り部材にはその側端部から前記双方屈曲部を摺動嵌入可能な溝部が形成され、該溝部への前記双方屈曲部の摺動嵌入により行われる構成を有している。
【００１５】
これにより、懸架用の板状体は摺動嵌入動作により見切り部材の溝部に嵌合される。従って、見切り部材に懸架用の板状体を装着した状態でその板状体は見切り部材から容易に脱落する恐れがなくなる。従って、現場での段差部仕上げ作業において、板状体を装着した状態の見切り部材の運搬移動が容易に行われ、施工性の向上が図られる。
【００１６】
請求項４に係る床の段差部仕上げ構造は、
前記見切り部材が、両側端部の所定範囲に長手方向への通路を有し、２つの見切り部材のそれぞれの一端側の前記通路に共通の連結用部材を挿入して相互の連結を行うようにしている。
【００１７】
これにより、見切り部材を複数連結するような場合に、その連結部の位置合せが極めて容易なものとなる。すなわち、連結用部材を見切り部材に形成された通路に挿入するという動作により自動的に見切り部材相互の位置決め及び連結が完了することとなる。
【００１８】
請求項５に係る床の段差部仕上げ構造は、
前記見切り部材が、前記水平部の延在方向に湾曲した形状を有し、前記懸架用の板状体は、前記見切り部材の湾曲に対応した円弧形状を有する略扇状の平面形状を有している。
【００１９】
これにより、所定の湾曲した形状を有する段差部について見切り部材の設置が容易なものとなる。すなわち、上述のような見切り部材の位置決め作業は、このような湾曲形状の段差においてより困難な作業となるが、湾曲した見切り部材及びそれに対応した形状の懸架用の板状体の存在により容易に行うことができる。すなわち、懸架用の板状体は、見切り部材の湾曲に対応して円弧を有する略扇状の形状とされているので、見切り部材への係合作業は何ら支承なく行うことができる。
【００２０】
更に、前記懸架用の板状体は、見切り部材への係合側の端部から反対側の端部へ向けてその幅が小さくなる平面形状とし、前記係合側の端縁部はその両側端部を所定範囲切り欠かいてその端縁部の最外縁を短くすることも可能であり、この係合部の領域が縮小により、見切り部材が大きい曲率で湾曲している場合の懸架用の板状体の係合を容易なものとすることができる。
【００２１】
【発明の実施の形態】
以下、図面に基づいて本発明の実施の形態について詳細に説明する。図１乃至図５は本発明の実施の形態に係る段差部仕上げ構造の構成例を示しており、各図の（Ａ）は構成を示す概略断面図、（Ｂ）及び（Ｃ）は各実施の形態に用いられる懸架用の板状体の構成例を示している。
【００２２】
なお、各図に示された実施の形態は、いわゆる二重床構造の床部に適用された例であり、地床部分より所定高さ高く立ち上げられた高位置の床構造体との段差部である框構造に適用される例が示されている。
【００２３】
図１は、最もシンプルな構成例を示しており、図示のように見切り部材１０及び屈曲部を有しないフラットな形状の懸架用板状体１２から構成されている。図示のように、見切り部材１０は立ち上がり正面部１０ａ及びこれとほぼ垂直な角度をなす水平部１０ｂを有している。また、本実施の形態では水平部１０ｂの下方位置に支持凸部１０ｃが立ち上がり正面部１０ａの内側面１０ｄ側に突出形成されている。そして、この支持凸部１０ｃと水平部１０ｂとの間に懸架用の板状体１２が差し入れ係合されている。
【００２４】
そして、懸架用の板状体１２の非差入れ側の端縁部は、二重床の高位置側の構造体２０の上面部に載置される状態となっている。なお、本実施の形態では見切り部材１０はアルミニウムで形成され、懸架用板状体１２は剛性の高い金属にて形成されている。
【００２５】
見切り部材１０の立ち上がり正面部１０ａの高さは、少なくとも高低差を生じさせている高位置側の構造体よりも高い高さを有している。そして、懸架用の板状体１２の係合位置は、高位置の床構造体２０の上面にほぼ水平に載置できるような位置となっている。
【００２６】
また、床構造体２０の上面には高さ位置調整用の敷部材１４が設置され板状体１２の上面と面一をとっている。通常は、さらにこの上部にカーペット部材などが敷設されることとなる。
【００２７】
上述のように、見切り部材１０はそれに係合された懸架用の板状体１２の長さ分だけ前後方向（図上１００方向）に位置決めの融通性を有することとなる。従って、床構造体２０に床面の面方向への凸凹がある場合であっても上記板状体１２によって生じた融通性により、その範囲でそれを許容し框部材として見切り部材１０の仕上げを容易に行うことが可能となっている。なお、敷部材１４は懸架用の板状体１２の設置された後にその設置位置に現場で切断されて敷設されるものである。
【００２８】
上記のような構成では、懸架用の板状体１２は現場において見切り部材１０側に水平方向に差し込むという簡単な動作だけで係合させることができるので、作業性を低下させる恐れもない。
【００２９】
同図（Ｂ）及び（Ｃ）は懸架用の板状体１２の構成例をそれぞれ示しており、同図（Ｂ）は直線状の框を形成する場合の例であり、略長方形状の平面形状を有する板状体１２−１が示され、同図（Ｃ）は框が湾曲したＲを有する見切り部材１０により形成される場合の略扇状の板状体１２−２が示されている。この略扇状の板状体１２−２はその差込み側の外縁部は見切り部材１０の湾曲に対応する円弧形状を有している。このような扇状の平面形状とすることにより、所定サイズの板状体１２−２を順次差し入れていくことにより湾曲に対応した懸架用の板状体の連続性のある設置が可能となるものである。
【００３０】
図２（Ａ）及び（Ｂ）は、実施の形態に係る床の段差部仕上げ構造の他の構成例を示しており、図１と同様の要素には同一の符号を付している。図示のように、本実施の形態では、懸架用の板状体１２は見切り部材１０への係合側への端部が一方向に屈曲された形状を有している。そして、屈曲部１２ａは、見切り部材１０の内側面１０ｄ側に形成された溝部１６に係合されている。このような懸架用の板状体１２の形状の場合には、見切り部材１０への係合動作は屈曲部１２ａを見切り部材１０の内側面側から溝部１６に嵌め込むように係合させるかあるいは見切り部材１０の側端部から摺動係合させることが可能である。そして、係合した後は、屈曲部１２ａが溝部に係合しているので、懸架用の板状体１２側を下に向けた場合でも簡単に見切り部材１０から脱落することがないという利点がある。
【００３１】
なお、図においては溝部１６の下方位置に通路１８が形成され、内部に見切り部材１０相互を連結するための連結部材４０が挿入設置されている例が示されているが、これについては後述する。
【００３２】
図３（Ａ）及び（Ｂ）は、実施の形態に係る床の段差部仕上げ構造の他の構成例を示しており、図１と同様の要素には同一の符号を付している。本実施の形態において特徴的なことは、懸架用の板状体１２が水平部１０ｂの上部に設置されることであり、その板状体１２の端縁部を見切り部材１０に係合させるための構成としてカバー部材２２を上方から設置している。
【００３３】
このカバー部材２２には、見切り部材１０の上部に形成した突起１０ｅに上方から嵌合させることによって取り付けられている。このような構成によれば、框構造部分に懸架用の板状体１２を設置しこれに対応する位置に見切り部材１０を設置しその状態で上方からカバー部材２２を被せることで簡単に段差部仕上げ材の位置決め設置が終了する。この実施の形態に用いられる板状体１２は図１（Ｂ）または（Ｃ）に示されたものと同様のフラットな形状のものが好適である。
【００３４】
図４は、実施の形態に係る床の段差部仕上げ構造の他の構成例を示しており、図１と同様の要素には同一の符号を付している。本実施の形態で特徴的なことは、懸架用の板状体１２に上方に突出する２つの突起部１２ｃ、１２ｄを形成していることである。この板状体１２の場合には、見切り部材１０への係合は見切り部材１０の側端部から摺動嵌入させることにより行われる。すなわち、見切り部材１０側には、突起部１２ｃ、１２ｄに対応するような２つの溝部２４、２６が形成されており、水平部１０ｂとそれらの溝部２４、２６により、板状体１２の突起部１２ｃ、１２ｄを通す通路が形成されている。
【００３５】
このような構成によれば、見切り部材１０に対する板状体１２の係合状態はより強固なものとなり、施工時における運搬移動において板状体１２の見切り部材１０からの脱落を全く心配することなく作業を行うことが可能となる。
【００３６】
なお、以上図２及び図４では、各図（Ｂ）において湾曲した見切り部材１０に対応する懸架用板状体１２のみを示し、直線状の見切り部材１０に対応する略長方形状の板状体については図示を省略している。
【００３７】
次に、図５は、Ｒを有する框構造部分の段差部仕上げ構造の設置状態の具体例を示しており、同図（Ａ）は上方から見た場合の説明図、同図（Ｂ）は概略縦断面説明図である。これは図６に示したようなカウンター４００やパーテイシヨン等の形状、例えばＲを有する形状に合わせたいわゆる出隅構造の框部分２００に適用された例を示している。図示のように、例えば、二重床構造の施工の場合、高位置側の構造体２０ａの部分の外縁領域には、その高さとほぼ同様の高さを有する補助設置部材としてのボーダー材２０ｂが設置されている。このボーダー材２０ｂは、二重床の高位置側の床構造体２０ａよりもその領域調整が容易な構成の部材として設置されるものである。従って、図６に示したようなＲ状框を形成する際に図示のような平面視階段状の外縁形状のものとして設置されるものである。
【００３８】
そして、高低差の境界部分には見切り部材１０が設置されるが、この見切り部材１０（一部想像線（波線）にて示している）は、例えば施工現場において適宜湾曲されるか予め湾曲した物として構成することも可能である。
【００３９】
この湾曲された見切り部材１０には懸架用の板状体１２が係合されるがその形状が図７に示されている。同図（Ａ）、（Ｂ）及び（Ｃ）はそれぞれ平面図、正面図及び側面図である。
【００４０】
本実施の形態に係る懸架用の板状体１２の特徴的構成は、略台形状に形成されていることである。見切り部材１０への係合側は、その両側端部が所定範囲で切り欠かれ短い縁部３０とされている。Ｒを有する見切り部材１０の場合には、その外側の縁部は円弧状にすることが基本であるが、このように縁部３０を短くすることにより縁部３０の部分をほぼ直線形状としてもＲ状見切り部材１０のへの摺動嵌入にも支承がない。
【００４１】
また、図７に示した懸架用の板状体１２は、その係合側端部に形成される屈曲部が上下方向の二方向にそれぞれ形成されている（１２ｅ、１２ｆ）。これに対応して見切り部材１０には、図５に示されているように上下の屈曲部１２ｅ、１２ｆに対応して形状の溝部３２が形成されている。このような上下方向の屈曲部１２ｅ、１２ｆと溝部３２との係合によれば、習動嵌入後は板状体１２の脱落が確実に防止されるので、施工時における段差部仕上げ材の移動や位置決めの作業性が向上する。
【００４２】
また、Ｒ状框構造において、大きなサイズの円弧となる場合には、複数の見切り部材１０が連結されて仕上げ材が構成されるが、図５に示したように、見切り部材１０相互の連結を上述の懸架用の板状体１２によって行うことも可能である。すなわち、２つの見切り部材１０の連結部にまたがるように懸架用の板状体１２を設置し、連結すべき両方の見切り部材１０に対応する位置にねじ止め用の穴を形成すると共にねじ３４，３６によって板状体１２と見切り部材１０とを固定し見切り部材１０相互の連結を行うものである。
【００４３】
また、段差部仕上げ材を低位置側の床構造体、すなわち地床側に固定する必要がある場合には、図５に示したように板状体１２に予め形成されているねじ穴１３にボルト１５を挿通して地床３００に螺入することができる。
【００４４】
上述の実施の形態では、懸架用の板状体１２は複数のものを順次係合させて全体をカバーするように用いたが、図８（Ａ）及び（Ｂ）に示したように少なくとも一部結合部を設け所定個数連結して用いることも可能である。このような結合構造によれば、必要に応じて所定個数ずつ切り離して所定長さに調整して用いることも可能である。
【００４５】
なお、同図（Ｂ）に示した懸架用の板状体１２は、図９に示したような入隅構造の框部分３００に用いられる場合の懸架用の板状体１２である。図示のように、この入隅構造の場合には、略扇状の板状体１２の内周側の外縁部３１の部分が図５の見切り部材１０とは逆方向に湾曲した見切り部材１０に係合されることとなる。その他の構成については上述の各実施の形態とほぼ同様のものである。
【００４６】
図１０は、見切り部材１０の相互の連結の他の構成例を示している。見切り部材１０の形状は、図５に示されたものとほぼ同様であり、所定幅の水平部１０ｂが形成されると共に見切り部材１０の内側面側には溝部３２が形成されている。そして、この溝部３２には板状体１２が係合されるが、更に、これに挿入可能な形状をもつ連結用部材４０による連結用の通路としても用いられる。
【００４７】
ここで、連結用部材４０は両方の見切り部材１０の溝部３２に両側から挿入されるものである。その挿入後に図１１あるいは図１２に示したように見切り部材１０に対してねじ止めされるものであり、これにより２つの見切り部材１０の連結が終了しかつ連結部の位置決めは、１つの連結用部材４０が用いられて連結されていることにより極めて正確に行われることとなる。なお、図１３に示したように連結用部材４０が位置ずれしないように溝部３２の所定位置をかしめておくことも可能である。
【００４８】
図１４には、他の形状を有する連結用部材４１が示されており、図示のようにほぼ中央位置から両側に向けてその幅が狭くなるような構成を有している。このような構成により、連結時の連結用部材４１の溝部３２への挿入動作が極めて容易なものとなり、また両側からほぼ中央位置まで挿入するという動作も容易な物となる。
【００４９】
本発明は、上記種々の実施の形態の構成に限定されるものではなく、発明の要旨の範囲内で種々の変形が可能である。例えば、見切り部材１０の形状は直線状あるいは湾曲状に限定されるものではなく不規則な形状に曲げられた場合でも本発明は適用することが可能である。その際には、懸架用の板状体１２の平面形状もそれに対応した形状に調整されることとなる。
【００５０】
【発明の効果】
以上説明したように、本発明に係る床の段差部仕上げ構造によれば、見切り部材とこれに係合させる懸架用板状体という簡単な構成により段差部仕上げ構造が構成され、これにより見切り部材の設置の際の位置決めに融通性が生じその現場における設置作業が極めて容易なものとなる。特に、段差部の平面形状が種々の形状のものである場合にも容易に対応することが可能となる。
【図面の簡単な説明】
【図１】（Ａ）は本発明の実施の形態に係る床の段差部仕上げ構造の構成を示す概略断面図、（Ｂ）及び（Ｃ）はこれに用いられる懸架用の板状体の構成説明図である。
【図２】（Ａ）は本発明の実施の形態に係る床の段差部仕上げ構造の構成を示す概略断面図、（Ｂ）はこれに用いられる懸架用の板状体の構成説明図である。
【図３】（Ａ）は本発明の実施の形態に係る床の段差部仕上げ構造の構成を示す概略断面図、（Ｂ）はこれに用いられる懸架用の板状体の構成説明図である。
【図４】（Ａ）は本発明の実施の形態に係る床の段差部仕上げ構造の構成を示す概略断面図、（Ｂ）はこれに用いられる懸架用の板状体の構成説明図である。
【図５】実施の形態に係る段差部仕上げ構造の框構造への適用例説明図であり、（Ａ）は平面方向から見た説明図、（Ｂ）は概略断面図である。
【図６】出隅構造の框構造説明図である。
【図７】図５の実施の形態に用いられた懸架用の板状体説明図である。
【図８】（Ａ）及び（Ｂ）は出隅構造用及び入隅用の板状体の説明図である。
【図９】入隅構造の框部分説明図である。
【図１０】見切り部材の連結構造説明図である。
【図１１】連結用部材の固定状態説明図である。
【図１２】連結用部材の固定状態説明図である。
【図１３】連結用部材の固定状態説明図である。
【図１４】連結用部材の他の構成例を示す説明図である。
【符号の説明】
１０  見切り部材
１２  懸架用の板状体
１６、３２  溝部
２０ａ  二重床の高位置構造体
４０、４１  連結用部材
【図１】
0004117081.tif 000002
【図２】
0004117081.tif 000003
【図３】
0004117081.tif 000004
【図４】
0004117081.tif 000005
【図５】
0004117081.tif 000006
【図６】
0004117081.tif 000007
【図７】
0004117081.tif 000008
【図８】
0004117081.tif 000009
【図９】
0004117081.tif 000010
【図１０】
0004117081.tif 000011
【図１１】
0004117081.tif 000012
【図１２】
0004117081.tif 000013
【図１３】
0004117081.tif 000014
【図１４】
0004117081.tif 000015